(57)【特許請求の範囲】
【請求項１】
ＯＬＴおよび前記ＯＬＴの下位にＰＯＮを介して接続されたＯＮＵを備えるＰＯＮシステムであって、
前記ＯＮＵは、
前記ＯＬＴから入力される光の量である入力パワーを計測する入力パワー計測手段と、
計測された前記入力パワーを前記ＯＬＴへ送信する送信手段と
を有し、
前記ＯＬＴは、
前記ＯＮＵから受信した前記入力パワーおよび自身が出力する光の量である出力パワーを比較する比較手段と、
前記比較手段における比較結果に基づき前記ＯＬＴ・前記ＯＮＵ間の距離を算出する第１距離算出手段と、
遅延時間に基づき前記ＯＬＴ・前記ＯＮＵ間の距離を算出する第２距離算出手段と、
前記第１距離算出手段で算出された距離および前記第２距離算出手段で算出された距離を比較することにより異常を検出する異常検出手段と
を有するＰＯＮシステム。
【請求項２】
ＯＬＴおよび前記ＯＬＴの下位にＰＯＮを介して接続されたＯＮＵを備えるＰＯＮシステムであって、
前記ＯＮＵは、
自身が出力する光の量である出力パワーを前記ＯＬＴへ送信する送信手段
を有し、
前記ＯＬＴは、
前記ＯＮＵから入力される光の量である入力パワーを計測する入力パワー計測手段と、
前記ＯＮＵから受信した前記出力パワーおよび計測した前記入力パワーを比較する比較手段と、
前記比較手段における比較結果に基づき前記ＯＬＴ・前記ＯＮＵ間の距離を算出する第１距離算出手段と、
遅延時間に基づき前記ＯＬＴ・前記ＯＮＵ間の距離を算出する第２距離算出手段と、
前記第１距離算出手段で算出された距離および前記第２距離算出手段で算出された距離を比較することにより異常を検出する異常検出手段と
を有するＰＯＮシステム。
【請求項３】
ＯＬＴおよび前記ＯＬＴの下位にＰＯＮを介して接続されたＯＮＵを備えるＰＯＮシステムであって、
前記ＯＮＵは、
前記ＯＬＴから入力される光の量である第１入力パワーを計測する第１入力パワー計測手段と、
計測された前記第１入力パワーおよび自身が出力する光の量である第２出力パワーを前記ＯＬＴへ送信する送信手段と
を有し、
前記ＯＬＴは、
前記ＯＮＵから入力される光の量である第２入力パワーを計測する第２入力パワー計測手段と、
前記ＯＮＵから受信した前記第１入力パワーおよび自身が出力する光の量である第１出力パワーを比較する第１比較手段と、
前記ＯＮＵから受信した前記第２出力パワーおよび計測した前記第２入力パワーを比較する第２比較手段と
前記第１比較手段における比較結果に基づき前記ＯＬＴ・前記ＯＮＵ間の距離を算出する第１距離算出手段と、
前記第２比較手段における比較結果に基づき前記ＯＬＴ・前記ＯＮＵ間の距離を算出する第２距離算出手段と、
遅延時間に基づき前記ＯＬＴ・前記ＯＮＵ間の距離を算出する第３距離算出手段と、
前記第１距離算出手段または前記第２距離算出手段で算出された距離および前記第３距離算出手段で算出された距離を比較することにより異常を検出する異常検出手段と
を有するＰＯＮシステム。
【発明の詳細な説明】
【技術分野】
【０００１】
本発明は、ＰＯＮ(Passive Optical Network)システムに関し、特に、柔軟に設計を行うための技術に関する。
【背景技術】
【０００２】
従来のＰＯＮシステムは、ＯＬＴ(Optical Line Terminal)、ＯＮＵ(Optical Network Unit)、１台のＯＬＴと複数のＯＮＵとを接続するスターカプラ、および接続媒体である光ファイバを備えて構成される。
【０００３】
ＯＬＴは、Ｏ／Ｅ(Optical/Electrical変換)回路、Ｅ／Ｏ(Electrical/Optical変換)回路、ＰＨＹの回路、ＯＡＭ（Operations, Administration, Maintenance）パケット／フレーム生成回路、ＩＰパケット終端回路、信号検出回路、ユーザデータ検出回路、送信許可順次割り当て制御回路、およびＯＮＵ管理テーブルを備えて構成される。
【０００４】
ＯＮＵは、Ｏ／Ｅ回路、Ｅ／Ｏ回路、フレーム終端回路、送信許可検出回路、オーバヘッド情報検出回路、パケットバッファ、パケット生成／送出回路、およびリンク検出回路を備えて構成される。
【０００５】
このようなＰＯＮシステムは、例えば特許文献１に開示されている。また、特許文献２には、ＰＯＮシステムにおけるＯＬＴ・ＯＮＵ間の距離を遅延値を用いて測定する方法が開示されている。
【０００６】
【特許文献１】特開２００４−３５６８９３号公報（第１図）
【特許文献２】特許第３４７３６９８号公報
【発明の開示】
【発明が解決しようとする課題】
【０００７】
ＰＯＮシステムにおいては、１個のＯＬＴに接続されるＯＮＵの個数が増加するほど、１個のＯＮＵあたりで受信される光量（パワー）は低減していく。また、ＯＬＴ・ＯＮＵ間の距離が大きくなるほど、ＯＬＴおよびＯＮＵそれぞれで受信されるパワーは低減していく。すなわち、１個のＯＬＴに接続可能なＯＮＵの個数および設定可能なＯＬＴ・ＯＮＵ間の距離は、光モジュールの出力パワーに大きく依存するとともに、互いに依存し合っている。
【０００８】
従って、ＰＯＮシステムの設計においては、収容可能なＯＮＵの最多個数をまず定めこの最多個数に基づきＯＬＴ・ＯＮＵ間の距離の上限を定めるか、想定されるＯＬＴ・ＯＮＵ間の最大距離をまず定めこの最大距離に基づきＯＮＵの個数の上限を定めるか、いずれかの手法が採られている。
【０００９】
しかし、従来のＰＯＮシステムにおいては、光モジュールの出力パワーが固定されているので、設計におけるＯＮＵの個数およびＯＬＴ・ＯＮＵ間の距離を必ずしも柔軟に定めることができないという問題点があった。
【００１０】
本発明は上記の問題点を解決するためになされたものであり、柔軟に設計を行うことができるＰＯＮシステムを提供することを目的とするものである。
【課題を解決するための手段】
【００１１】
本発明に係るＰＯＮシステムは、ＯＬＴおよびＯＬＴの下位にＰＯＮを介して接続されたＯＮＵを備えるＰＯＮシステムであって、ＯＮＵは、ＯＬＴから入力される光の量である入力パワーを計測する入力パワー計測手段と、計測された入力パワーをＯＬＴへ送信する送信手段とを有し、ＯＬＴは、ＯＮＵから受信した入力パワーおよび自身が出力する光の量である出力パワーを比較する比較手段と、比較手段における比較結果に基づきＯＬＴ・ＯＮＵ間の距離を算出する第１距離算出手段と、遅延時間に基づきＯＬＴ・ＯＮＵ間の距離を算出する第２距離算出手段と、第１距離算出手段で算出された距離および第２距離算出手段で算出された距離を比較することにより異常を検出する異常検出手段とを有する。
【発明の効果】
【００１２】
本発明に係るＰＯＮシステムは、ＯＬＴおよびＯＬＴの下位にＰＯＮを介して接続されたＯＮＵを備えるＰＯＮシステムであって、ＯＮＵは、ＯＬＴから入力される光の量である入力パワーを計測する入力パワー計測手段と、計測された入力パワーをＯＬＴへ送信する送信手段とを有し、ＯＬＴは、ＯＮＵから受信した入力パワーおよび自身が出力する光の量である出力パワーを比較する比較手段を有する。従って、比較結果に基づき出力パワーを可変させることにより、通信状態を最適化することができる。また、ＯＮＵの追加収容等における設計を柔軟に行うことができる。また第１距離算出手段で算出された距離および第２距離算出手段で算出された距離を比較することにより異常を検出できるため、保守者は、伝送路または装置の故障を速やかに検知することができる。
【発明を実施するための最良の形態】
【００１３】
本発明に係るＰＯＮ(Passive Optical Network)システムは、光モジュールから出力される光量（パワー）を可変させることにより柔軟な設計を可能とすることを特徴とする。以下、本発明の各実施の形態について、図面を用いて詳細に説明する。
【００１４】
＜実施の形態１＞
図１は、実施の形態１に係るＰＯＮシステムの構成を示すブロック図である。ＰＯＮシステムは、１個のＯＬＴ(Optical Line Terminal)１からの光ファイバ４をスターカプラ３で分岐し複数個のＯＮＵ(Optical Network Unit)２へ接続させた構成からなる。また、ＯＬＴ１は、監視装置３０に接続されている。
【００１５】
ＯＬＴ１およびＯＮＵ２は、図示しない光モジュールを内蔵しており、それぞれ、この光モジュールから光ファイバ４へパワーを出力することにより、互いに通信を行っている。
【００１６】
すなわち、光ファイバ４およびスターカプラ３は、ＯＬＴ１の下位にＯＮＵ２を接続させるためのＰＯＮとして機能する。本明細書においては、ＯＬＴ１から光ファイバ４へ出力される光の量を第１出力パワーと呼び、光ファイバ４からＯＮＵ２へ入力される光の量を第１入力パワーと呼ぶ。また、ＯＮＵ２から光ファイバ４へ出力される光の量を第２出力パワーと呼び、光ファイバ４からＯＬＴ１へ入力される光の量を第２入力パワーと呼ぶ。
【００１７】
ＯＮＵ２の下位には図示しない下位装置が、ＯＬＴ１の上位には図示しない上位装置が、それぞれ接続されており、ＰＯＮシステムを介して互いにユーザデータの送受信を行っている。
【００１８】
ＯＬＴ１は、ユーザ／ＯＡＭ（Operations, Administration, Maintenance）パケット挿入部５、Ｅ／Ｏ(Electrical/Optical変換)回路６、Ｏ／Ｅ(Optical/Electrical変換)回路７、パワーモニタ部８、ユーザ／ＯＡＭパケット分離部９、ＯＡＭ受信制御部１０、ＰＯＮプロトコル制御部１１、ＯＡＭ送信制御部１２、ＯＮＵ管理テーブル１３、および距離比較部１４を備えている。
【００１９】
ＯＮＵ２は、ユーザ／ＯＡＭパケット挿入部１５、Ｅ／Ｏ回路１６、Ｏ／Ｅ回路１７、パワーモニタ部１８、ユーザ／ＯＡＭパケット分離部１９、ＯＡＭ受信制御部２０、ＰＯＮプロトコル制御部２１、およびＯＡＭ送信制御部２２を備えている。
【００２０】
ユーザ／ＯＡＭパケット挿入部１５は、下位装置からＯＮＵ２へ入力された上りユーザデータに、ＯＡＭ送信制御部２２から入力されたＯＡＭパケットを挿入し上りフレームとしてＥ／Ｏ回路１６へ入力させる。Ｅ／Ｏ回路１６は、入力された（電気信号形式の）上りフレームを光信号形式に変換し、ＰＯＮ（光ファイバ４およびスターカプラ３）を介してＯ／Ｅ回路７へ入力させる。Ｏ／Ｅ回路７は、入力された光信号形式の上りフレームを電気信号形式に変換し、ユーザ／ＯＡＭパケット分離部９（およびパワーモニタ部８）へ入力させる。ユーザ／ＯＡＭパケット分離部９は、入力された上りフレームからＯＡＭパケットを分離し、ＯＡＭパケットをＯＡＭ受信制御部１０へ入力させ、残りの上りフレームを上りユーザデータとしてＯＬＴ１から上位装置へ入力させる。
【００２１】
ユーザ／ＯＡＭパケット挿入部５は、上位装置からＯＬＴ１へ入力された下りユーザデータに、ＯＡＭ送信制御部１２から入力されたＯＡＭパケットを挿入し下りフレームとしてＥ／Ｏ回路６へ入力させる。Ｅ／Ｏ回路６は、入力された（電気信号形式の）下りフレームを光信号形式に変換し、ＰＯＮ（光ファイバ４およびスターカプラ３）を介してＯ／Ｅ回路１７へ入力させる。Ｏ／Ｅ回路１７は、入力された光信号形式の下りフレームを電気信号形式に変換し、ユーザ／ＯＡＭパケット分離部１９（およびパワーモニタ部１８）へ入力させる。ユーザ／ＯＡＭパケット分離部１９は、入力された下りフレームからＯＡＭパケットを分離し、ＯＡＭパケットをＯＡＭ受信制御部２０へ入力させ、残りの下りフレームを下りユーザデータとしてＯＮＵ２から下位装置へ入力させる。
【００２２】
ＯＡＭ受信制御部２０は、ユーザ／ＯＡＭパケット分離部１９から入力されたＯＡＭパケットに含まれる受信情報を処理することにより、ＰＯＮ制御情報を生成しＰＯＮプロトコル制御部２１へ入力させるとともに第２出力パワー指定情報を生成しＥ／Ｏ回路１６へ入力させる。
【００２３】
ＰＯＮプロトコル制御部２１は、入力されたＰＯＮ制御情報をＰＯＮプロトコル処理することにより、ＯＡＭ制御情報を生成しＯＡＭ送信制御部２２へ入力させるとともに光出力制御情報を生成しユーザ／ＯＡＭパケット挿入部１５へ入力させる。
【００２４】
パワーモニタ部１８は、Ｏ／Ｅ回路１７から入力された電気信号を用いてＯＬＴ１から受光されるパワーをモニタ（計測）することにより第１入力パワー情報を生成しＯＡＭ送信制御部２２へ入力させる。ＯＡＭ送信制御部２２は、ＰＯＮプロトコル制御部２１から入力されたＯＡＭ制御情報およびパワーモニタ部１８から入力された第１入力パワー情報に基づきＯＡＭパケットを生成しユーザ／ＯＡＭパケット挿入部１５へ入力させる。
【００２５】
ＯＡＭ受信制御部１０は、ユーザ／ＯＡＭパケット分離部９から入力されたＯＡＭパケットに含まれる受信情報を処理することにより、ＰＯＮ制御情報を生成しＰＯＮプロトコル制御部１１へ入力させるとともに、ＯＮＵ２へ送信したＯＡＭパケット等がＯＮＵ２で折り返して戻って来るまでの遅延時間（ラウンドトリップタイム）を表すＲＴＴ情報とＯＮＵ２から受信した第２出力パワー情報とをＯＮＵ管理テーブル１３へ記憶させる。
【００２６】
ＰＯＮプロトコル制御部１１は、入力されたＰＯＮ制御情報をＰＯＮプロトコル処理することにより、ＯＡＭ制御情報を生成しＯＡＭ送信制御部１２へ入力させる。
【００２７】
パワーモニタ部８は、Ｏ／Ｅ回路７から入力された電気信号を用いてＯＮＵ２から受光されるパワーをモニタ（計測）することにより第２入力パワー情報を生成しＯＮＵ管理テーブル１３へ記憶させる。
【００２８】
ＯＮＵ管理テーブル１３は、登録されているＯＮＵ２の各種情報を記憶するためのものである。ＯＬＴ１は、ＯＮＵ管理テーブル１３に記憶された、第２出力パワー情報、第２入力パワー情報、およびＲＴＴ情報等の各種情報に基づき、第１出力パワー指定情報を生成しＥ／Ｏ回路６へ入力させる。
【００２９】
すなわち、パワーモニタ部１８は、本発明に係る第１入力パワー計測手段として機能し、パワーモニタ部８は、本発明に係る第２入力パワー計測手段として機能している。また、ＯＡＭ送信制御部２２は、本発明に係る送信手段として機能している。
【００３０】
ＯＮＵ２は、ＯＬＴ１から受光したパワー値（入力パワー値）をパワーモニタ部１８にて常時計測し、その時間平均から第１入力パワー値を算出している。そして、ＯＮＵ２は、この第１入力パワー値を、ＯＡＭ情報としてＯＡＭ送信制御部２２からＯＬＴ１へ定期的に申告している。ＯＬＴ１は、ＯＮＵ２から送信された第１入力パワー値をＯＡＭ受信制御部１０にて受信し、この第１入力パワー値を、自身が出力したパワー値（出力パワー値）の時間平均から算出される第１出力パワー値と比較することによりこれらの差分を算出する。そして、算出された差分に基づきＯＬＴ１と各ＯＮＵ２との距離をそれぞれ算出し、距離情報としてＯＮＵ管理テーブル１３へ格納する（第１の距離算出手法）。
【００３１】
同時に、ＯＬＴ１は、ＯＮＵ２から受光したパワー値（入力パワー値）をパワーモニタ部８にて常時計測し、その時間平均から第２入力パワーを算出している。また、ＯＮＵ２は、自身が出力したパワー値（出力パワー値）の時間平均から第２出力パワー値を算出し、ＯＡＭ情報としてＯＡＭ送信制御部２２からＯＬＴ１へ定期的に申告している。ＯＬＴ１は、算出された第２入力パワー値を、受信された第２出力光パワー値と比較することによりこれらの差分を算出する。そして、算出された差分に基づきＯＬＴ１と各ＯＮＵ２との距離をそれぞれ算出し、距離情報としてＯＮＵ管理テーブル１３へ格納する（第２の距離算出手法）。
【００３２】
また、ＯＬＴ１は、送信したＯＡＭパケット等がＯＮＵ２で折り返して戻って来るまでの遅延時間（ラウンドトリップタイム）に基づきＯＬＴ１と各ＯＮＵ２との距離をそれぞれ算出し、距離情報としてＯＮＵ管理テーブル１３へ格納する（第３の距離算出手法）。
【００３３】
なお、図示は省略されているが、ＯＬＴ１は、ＣＰＵやメモリ等を内蔵しており、上記のパワー値の比較および距離の算出は、いずれもこのＣＰＵにおいて行われる。すなわち、このＣＰＵは、本発明において、第１乃至第３比較手段および第１乃至第３距離算出手段として機能する。
【００３４】
上述したように、本発明に係るＰＯＮシステムにおいては、ＯＬＴ１と各ＯＮＵ２との距離は、第１の距離算出手法においてはＯＮＵ２のパワーモニタ部１８にて計測される第１入力パワー値に基づき算出され、第２の距離算出手法においてはＯＬＴ１のパワーモニタ部８にて計測される第２入力パワー値に基づき算出され、第３の距離算出手法においてはＯＡＭパケット等のラウンドトリップタイムに基づき算出される。
【００３５】
これら複数種類の手法によりそれぞれ算出される距離は、本来は一致するはずであるので、これらの距離が互いに大きくずれた場合には、ＰＯＮシステムにおいて不具合が発生している可能性が高い。すなわち、複数種類の手法によりそれぞれ算出される距離を互いに比較することにより、実施の形態２で後述するように異常を検出することが可能となる。
【００３６】
ＯＬＴ１は、ＯＮＵ管理テーブル１３へ格納された距離情報および分岐情報から、自身が出力すべき最適なパワー値（第１最適パワー出力値）を算出する。この第１最適パワー出力値は、各ＯＮＵ２それぞれにおいて受光可能なパワーの範囲（受光感度）と上記の距離情報および分岐情報に基づく減衰量とを考慮し、全てのＯＮＵ２において受光可能となるように算出される。そして、ＯＬＴ１は、自身が出力するパワー値がこの第１最適パワー出力値に一致するように、第１出力パワー指定情報を用いてＥ／Ｏ回路６を制御する。
【００３７】
同時に、ＯＬＴ１は、ＯＮＵ管理テーブル１３へ格納された距離情報および分岐情報から、ＯＮＵ２が出力すべき最適なパワー値（第２最適パワー出力値）を算出する。この第２最適パワー出力値は、ＯＬＴ１において受光可能なパワーの範囲（受光感度）と上記の距離情報および分岐情報に基づく減衰量とを考慮し、ＯＬＴ１において受光可能となるように算出される。そして、ＯＬＴ１は、この第２最適パワー出力値を含むＯＡＭパケットをＯＡＭ送信制御部１２からＯＮＵ２へ送信する。ＯＮＵ２は、このＯＡＭパケットをＯＡＭ受信制御部２０で受信すると、自身が出力するパワー値がこの第２最適パワー出力値に一致するように、第２出力パワー指定情報を用いてＥ／Ｏ回路１６を制御する。
【００３８】
例えば、ＯＬＴ１およびＯＮＵ２は、ＯＬＴ１・ＯＮＵ２間の距離および分岐数が比較的に小さく現在のパワー出力値が大き過ぎると判断される場合には、それぞれ、パワー出力値を、最適パワー出力値に一致するまで小さくする。
【００３９】
また、ＯＬＴ１およびＯＮＵ２は、ＯＬＴ１・ＯＮＵ２間の距離および分岐数が比較的に大きく現在のパワー出力値が小さ過ぎると判断される場合には、それぞれ、パワー出力値を、最適パワー出力値に一致するまで大きくする。但し、最適パワー出力値が、ＯＬＴ１およびＯＮＵ２それぞれが出力可能な最大のパワー値（最大パワー出力値）を超える場合には、パワー出力値を、それぞれ、最大パワー出力値に一致させる。
【００４０】
このような制御を行うことにより、現在のパワー出力値が大き過ぎる場合には、パワー出力値を小さくすることでＯＬＴ１およびＯＮＵ２の消費電力を低減することが可能となる。
【００４１】
１個のＯＬＴ１へ比較的に少ない個数のＯＮＵ２が比較的に小さい距離で接続されていると、ＯＬＴ１またはＯＮＵ２において、パワー入力値が大きくなり過ぎ受光可能な最大のパワー値（上限パワー入力値）を超える場合がある。従来のＰＯＮシステムでは、このような場合には、パワー入力値を上限パワー入力値以下に抑えるために、伝送路にアッテネータを介挿し減衰させる必要があった。
【００４２】
本実施の形態に係るＰＯＮシステムでは、上述したように、ＯＬＴ１およびＯＮＵ２において、それぞれ、Ｅ／Ｏ回路６，１６を制御してパワー出力値を小さくするので、伝送路にアッテネータを介挿させることなくパワー入力値を上限パワー入力値以下に抑えることが可能となる。
【００４３】
また、１個のＯＬＴ１へ比較的に多い個数のＯＮＵ２が比較的に大きい距離で接続されていると、パワー入力値が小さくなり過ぎないように、ＯＮＵ２の個数またはＯＬＴ１・ＯＮＵ２間の距離を制限する必要がある。従来のＰＯＮシステムでは、上述したように、光モジュールの出力パワーが固定されているので、ＯＮＵ２の個数およびＯＬＴ１・ＯＮＵ２間の距離を柔軟に定めることができないという問題点があった。
【００４４】
本実施の形態に係るＰＯＮシステムでは、上述したように、ＯＬＴ１およびＯＮＵ２において、それぞれ、Ｅ／Ｏ回路１６，１６を制御してパワー出力値を大きくするので、光モジュールが出力可能な範囲内で接続形態に応じパワー出力値を上限まで大きくすることにより、パワーバジェットを調整しフレキシブルに対応することが可能となる。すなわち、ＯＬＴ１・ＯＮＵ２間の距離が大きい場合にもパワー出力値を大きくすることにより接続可能なＯＮＵ２の個数を可能な限り増やしたり、ＯＮＵ２の個数が多い場合にもパワー出力値を大きくすることにより設定可能なＯＬＴ１・ＯＮＵ２間の距離を大きくしたりすることができる。これにより、光モジュールの出力パワーが固定されている場合に比べて、フレキシブルに対応することが可能となる。
【００４５】
また、光モジュールが出力可能な範囲内でパワー出力値を上限まで大きくした場合に接続可能なＯＮＵ２の最多個数および設定可能なＯＬＴ１・ＯＮＵ２間の最大距離は、パワーバジェット情報としてＯＮＵ管理テーブル１３へ格納される。これにより、保守者は、このパワーバジェット情報を、監視装置３０経由で得ることができる。従って、ＯＮＵ２を増設するときに、所望の接続形態（個数および距離）が実現可能かどうかを容易に判別することができる。よって、ＯＮＵ２を、個々の伝送路形態に応じ効率よく追加収容していくことが可能となる。
【００４６】
このように、本実施の形態に係るＰＯＮシステムでは、ＯＮＵ２およびＯＬＴ１において、自身が出力した出力パワーと計測された出力パワー値とを比較することにより、ＯＬＴ１・ＯＮＵ２間の距離を算出し、出力パワー値を可変させる。従って、伝送路の状態をＯＬＴ１およびＯＮＵ２にフィードバックし、通信状態を最適化することができる。また、ＯＮＵ２の追加収容等における設計を柔軟に行うことができる。
【００４７】
なお、上述では、第１の距離算出手法および第２の距離算出手法として、ＯＮＵ２およびＯＬＴ１の両方において、それぞれパワー入力値に基づき距離を算出する手法について説明したが、これに限らず、あるいはいずれか一方のみのパワー入力値を用いて距離を算出してもよい。
【００４８】
また、上述では、入力パワー値と出力パワー値との比較により得られた差分から、ＯＬＴ１・ＯＮＵ２間の距離を算出し、この距離を用いて、自身が出力するパワー値が最適パワー出力値に一致するように制御する場合について説明した。しかし、必ずしも距離を用いる必要はなく、上記の差分をそのまま用いて、自身が出力するパワー値を制御してもよい。
【００４９】
＜実施の形態２＞
実施の形態１では、ＯＮＵ２またはＯＬＴ１においてパワー入力値に基づき距離を算出する手法（第１または第２の距離算出手法）とラウンドトリップタイムに基づき距離を算出する手法（第３の距離算出手法）とを説明したが、これらの手法によりそれぞれ算出される距離を互いに比較することにより、ＰＯＮシステムにおける異常を検出することが可能となる。
【００５０】
図２〜５は、実施の形態２に係るＰＯＮシステムにおける異常検出を示すブロック図である。図２〜５に示されるように、本実施の形態に係るＰＯＮシステムは、１個のＯＬＴ１に、３個のスターカプラ３ａ〜３ｃおよび９個の光ファイバ４ａ〜４ｉを介して、６個のＯＮＵ２ａ〜２ｆを接続させたものである。
【００５１】
すなわち、スターカプラ３ａにおいてはＯＮＵ２ａが分岐され、スターカプラ３ｂにおいてはＯＮＵ２ｂ〜２ｄが分岐され、スターカプラ３ｃにおいてはＯＮＵ２ｅ〜２ｆが分岐される。
【００５２】
また、光ファイバ４ａ〜４ｉは、それぞれ、ＯＬＴ１・スターカプラ３ａ間、スターカプラ３ａ，３ｂ間、スターカプラ３ａ，３ｃ間、スターカプラ３ａ・ＯＮＵ２ａ間、スターカプラ３ｂ・ＯＮＵ２ｂ間、スターカプラ３ｂ・ＯＮＵ２ｃ間、スターカプラ３ｂ・ＯＮＵ２ｄ間、スターカプラ３ｃ・ＯＮＵ２ｅ間、およびスターカプラ３ｃ・ＯＮＵ２ｆ間を接続している。
【００５３】
本実施の形態に係るＰＯＮシステムの試験方法では、ＯＬＴ１の距離比較部１４は、パワー入力値に基づき算出された距離（すなわち第１または第２の距離算出手法で算出された距離）とラウンドトリップタイムに基づき算出された距離（すなわち第３の距離算出手法で算出された距離）とを比較することによりこれらの差分を算出する。そして、算出された差分が所定の閾値を超えている場合には、異常が発生したと判断し、その旨を監視装置３０へ通知し警報を発出する。すなわち、距離比較部１４は、本発明に係る異常検出手段として機能する。
【００５４】
図２では、ＯＮＵ２ａ〜２ｆ全てにおいて、算出された差分が閾値を超えている場合が示されている。このような場合には、ＯＬＴ１は、ＯＬＴ１・スターカプラ３ａ間（ＯＬＴ１の光モジュール、スターカプラ３ａ、および光ファイバ４ａのいずれか）において、異常が発生したと判断する。
【００５５】
図３では、ＯＮＵ２ｂ〜２ｄのみにおいて、算出された差分が所定の閾値を超えている場合が示されている。このような場合には、ＯＬＴ１は、スターカプラ３ａ，３ｂ間（光ファイバ４ｂまたはスターカプラ３ｂ）において、異常が発生したと判断する。
【００５６】
図４では、ＯＮＵ２ａ，２ｂ，２ｆのみにおいて、算出された差分が閾値を超えている場合が示されている。このような場合には、ＯＬＴ１は、スターカプラ３ａ・ＯＮＵ２ａ間（光ファイバ４ｄまたはＯＮＵ２ａ）と、スターカプラ３ｂ・ＯＮＵ２ｂ間（光ファイバ４ｅまたはＯＮＵ２ｂ）と、スターカプラ３ｃ・ＯＮＵ２ｆ間（光ファイバ４ｉまたはＯＮＵ２ｆ）とにおいて、異常が発生したと判断する。
【００５７】
図５では、ＯＮＵ２ｂのみにおいて、算出された差分が閾値を超えている場合が示されている。このような場合には、ＯＬＴ１は、スターカプラ３ｂ・ＯＮＵ２ｂ間（光ファイバ４ｅまたはＯＮＵ２ｂ）において、異常が発生したと判断する。
【００５８】
このように、本実施の形態に係るＰＯＮシステムでは、ＯＬＴ１において、パワー入力値に基づき算出された距離とラウンドトリップタイムに基づき算出された距離とを比較することにより、異常を検出する。従って、保守者は、監視装置３０を用いて、伝送路または装置の故障を速やかに検知することができる。
【図面の簡単な説明】
【００５９】
【図１】実施の形態１に係るＰＯＮシステムの構成を示すブロック図である。
【図２】実施の形態１に係るＰＯＮシステムにおける異常検出を示すブロック図である。
【図３】実施の形態１に係るＰＯＮシステムにおける異常検出を示すブロック図である。
【図４】実施の形態１に係るＰＯＮシステムにおける異常検出を示すブロック図である。
【図５】実施の形態１に係るＰＯＮシステムにおける異常検出を示すブロック図である。
【符号の説明】
【００６０】
１  ＯＬＴ、２  ＯＮＵ、３  スターカプラ、４  光ファイバ、５，１５  ユーザ／ＯＡＭパケット挿入部、６，１６  Ｅ／Ｏ回路、７，１７  Ｏ／Ｅ回路、８，１８  パワーモニタ部、９，１９  ユーザ／ＯＡＭパケット分離部、１０，２０  ＯＡＭ受信制御部、１１，２１  ＰＯＮプロトコル制御部、１２，２２  ＯＡＭ送信制御部、１３  ＯＮＵ管理テーブル、１４  距離比較部、３０  監視装置。
【図１】
0004699234.tif 000002
【図２】
0004699234.tif 000003
【図３】
0004699234.tif 000004
【図４】
0004699234.tif 000005
【図５】
0004699234.tif 000006